(57)【要約】【課題】アンテナの設置の自由度をより向上させることが可能であり、無線ＬＡＮの通信範囲をより拡張することが可能な無線ＬＡＮ装置を提供する。【解決手段】端末装置との間で無線通信用の高周波信号を送受信するアンテナ２と、高周波信号とデジタル信号と変換を行う信号変換部４２とアンテナ側筐体４４とを備えたアンテナ側装置４と、デジタル信号の処理を実行する情報処理部６１と広域ネットワーク７との通信を行うＷＡＮ通信部６３と本体側筐体６５とを備えた本体側装置６と、アンテナ側装置４と本体側装置６とを通信可能に接続する通信ケーブル５と、アンテナ２とアンテナ側装置４とを接続するアンテナケーブル３と、を備え、アンテナ側装置４のアンテナ側筐体４４には、アンテナケーブル３を接続するための接続端子４１が備えられており、アンテナケーブル４１を介してアンテナ２を接続可能に構成されている。【選択図】図２
2017143486.tif 000002
【特許請求の範囲】
【請求項１】
端末機器と無線通信が可能な無線ローカルエリアネットワークを構成し、前記端末機器を広域ネットワークに接続するための無線ＬＡＮ装置であって、
前記端末装置との間で無線通信用の高周波信号を送受信するアンテナと、
前記高周波信号とデジタル信号と変換を行う信号変換部と、前記信号変換部を収容するアンテナ側筐体と、を備えたアンテナ側装置と、
前記無線ローカルエリアネットワークの通信プロトコルに基づく前記デジタル信号の処理を実行する情報処理部と、広域ネットワークとの通信を行う広域ネットワーク通信部と、前記情報処理部と前記広域ネットワーク通信部とを収容し、前記アンテナ側筐体と別体に構成された本体側筐体と、を備えた本体側装置と、
前記アンテナ側装置と前記本体側装置とを通信可能に接続する通信ケーブルと、
前記アンテナと前記アンテナ側装置とを接続するアンテナケーブルと、を備え、
前記アンテナ側装置の前記アンテナ側筐体には、前記アンテナケーブルを接続するための接続端子が備えられており、前記アンテナケーブルを介して前記アンテナを接続可能に構成されている、
無線ＬＡＮ装置。
【請求項２】
前記アンテナ側筐体には、複数の前記接続端子が備えられており、前記アンテナケーブルを介して複数の前記アンテナを接続可能に構成されている、
請求項１に記載の無線ＬＡＮ装置。
【請求項３】
前記通信ケーブルは、光ケーブルからなり、
前記アンテナ側装置と前記本体側装置は、前記デジタル信号と光信号とを変換する光送受信部をそれぞれ備える、
請求項１または２に記載の無線ＬＡＮ装置。
【請求項４】
前記アンテナケーブルを巻き取り収納するケーブル収納機構をさらに備えた、
請求項１乃至３の何れか１項に記載の無線ＬＡＮ装置。
【請求項５】
前記アンテナケーブルの少なくとも１部が、螺旋状のカールケーブルから構成されている、
請求項１乃至４の何れか１項に記載の無線ＬＡＮ装置。
【発明の詳細な説明】
【技術分野】
【０００１】
本発明は、無線ＬＡＮ装置に関する。
【背景技術】
【０００２】
従来、端末機器と無線通信が可能な無線ローカルエリアネットワーク（以下、無線ＬＡＮという）を構成し、前記端末機器を広域ネットワークに接続するための無線ＬＡＮ装置（無線ローカルエリアネットワーク装置）が知られている。
【０００３】
従来の無線ＬＡＮ装置では、アンテナが筐体に一体に設けられた構造となっていた。そのため、無線ＬＡＮの通信範囲（接続範囲）を拡張するためには、多くの電力を用いてアンテナから放射される電波の強度を大きくしなければならず、省電力化の観点で課題があった。
【０００４】
そこで、特許文献１では、アンテナと信号変換手段とを収納するアンテナ筐体と、情報処理手段を収納する本体筐体とを別体とし、両筐体をケーブルで接続したセパレート式の無線ＬＡＮ装置が提案されている。
【０００５】
特許文献１の無線ＬＡＮ装置によれば、本体筐体から離れた位置にアンテナを配置することが可能であり、複数のアンテナ筐体を適宜な位置に設置することで、各アンテナ筐体のアンテナから放射される電波を弱くして電力消費を抑えつつも、無線ＬＡＮの通信範囲を拡張することが可能になる。
【先行技術文献】
【特許文献】
【０００６】
【特許文献１】国際公開第２００４／０８６６４０号
【発明の概要】
【発明が解決しようとする課題】
【０００７】
しかしながら、特許文献１の無線ＬＡＮ装置では、アンテナがアンテナ筐体に一体に設けられた構成となっているため、アンテナの設置位置にアンテナ筐体を設置する必要があった。
【０００８】
そのため、例えばアンテナを屋外に配置するためには、アンテナ筐体も屋外に設置する必要があった。アンテナ筐体を屋外に設置すると、屋外の気候の影響を受けてアンテナ筐体に収容された信号変換手段等に故障が発生し易くなる。また、アンテナ筐体を防水構造としたり耐候性の高い高価な材料を用いたりする必要が生じ、コストが高くなってしまう。
【０００９】
そこで、本発明は、アンテナの設置の自由度をより向上させることが可能であり、無線ＬＡＮの通信範囲をより拡張することが可能な無線ＬＡＮ装置を提供することを目的とする。
【課題を解決するための手段】
【００１０】
本発明は、上記課題を解決することを目的として、端末機器と無線通信が可能な無線ローカルエリアネットワークを構成し、前記端末機器を広域ネットワークに接続するための無線ＬＡＮ装置であって、前記端末装置との間で無線通信用の高周波信号を送受信するアンテナと、前記高周波信号とデジタル信号と変換を行う信号変換部と、前記信号変換部を収容するアンテナ側筐体と、を備えたアンテナ側装置と、前記無線ローカルエリアネットワークの通信プロトコルに基づく前記デジタル信号の処理を実行する情報処理部と、広域ネットワークとの通信を行う広域ネットワーク通信部と、前記情報処理部と前記広域ネットワーク通信部とを収容し、前記アンテナ側筐体と別体に構成された本体側筐体と、を備えた本体側装置と、前記アンテナ側装置と前記本体側装置とを通信可能に接続する通信ケーブルと、前記アンテナと前記アンテナ側装置とを接続するアンテナケーブルと、を備え、前記アンテナ側装置の前記アンテナ側筐体には、前記アンテナケーブルを接続するための接続端子が備えられており、前記アンテナケーブルを介して前記アンテナを接続可能に構成されている、無線ＬＡＮ装置を提供する。
【発明の効果】
【００１１】
本発明によれば、アンテナの設置の自由度をより向上させることが可能であり、無線ＬＡＮの通信範囲をより拡張することが可能な無線ＬＡＮ装置を提供できる。
【図面の簡単な説明】
【００１２】
【図１】本実施の形態に係る無線ＬＡＮ装置の概略構成図である。
【図２】本実施の形態に係る無線ＬＡＮ装置の内部構成を示す説明図である。
【図３】アンテナとアンテナケーブルを示す説明図である。
【図４】本発明の一変形例において、アンテナとアンテナケーブルを示す説明図である。
【発明を実施するための形態】
【００１３】
［実施の形態］
以下、本発明の実施の形態を添付図面にしたがって説明する。
【００１４】
図１は、本実施の形態に係る無線ＬＡＮ装置の概略構成図である。また、図２は、本実施の形態に係る無線ＬＡＮ装置の内部構成を示す説明図である。
【００１５】
図１，２に示すように、無線ＬＡＮ装置（無線ローカルエリアネットワーク装置）１は、図示しないスマートフォン等の端末機器と無線通信が可能な無線ローカルエリアネットワーク（以下、無線ＬＡＮという）を構成し、端末機器を広域ネットワーク（ＷＡＮ）に接続するためのものである。
【００１６】
本実施の形態では、端末機器と無線ＬＡＮ装置１とによって無線ＬＡＮが構成される。無線ＬＡＮ装置１は、複数の端末機器に対して無線ＬＡＮ環境を提供し、当該無線ＬＡＮを介して、端末機器にインターネットアクセス等の各種サービスを提供する。本実施の形態に係る無線ＬＡＮ装置１は、ＩＥＥＥ８０２．１１規格に準拠したものである。
【００１７】
無線ＬＡＮ装置１は、アンテナ２と、アンテナケーブル３と、アンテナ側装置４と、通信ケーブル５と、本体側装置６と、を備えている。
【００１８】
アンテナケーブル３は、アンテナ２とアンテナ側装置４とを接続するものであり、同軸ケーブル等のメタルケーブルから構成される。通信ケーブル５は、アンテナ側装置４と本体側装置６とを通信可能に接続するものであり、本実施の形態では、光信号を伝送する光ケーブルから構成されている。
【００１９】
本体側装置６は、情報処理部６１と、アクセスポイント制御部（以下、ＡＰ制御部という）６２と、広域ネットワーク通信部（以下、ＷＡＮ通信部という）６３と、本体側光送受信部６４と、本体側筐体６５と、を備えている。
【００２０】
本体側筐体６５は、情報処理部６１、ＡＰ制御部６２、ＷＡＮ通信部６３、および本体側光送受信部６４を収容するものである。情報処理部６１、ＡＰ制御部６２、およびＷＡＮ通信部６３は、ＣＰＵ、ソフトウェア、インターフェイス、メモリ等を適宜組み合わせて実現されている。また、本体側光送受信部６４は、本体側光送信部（不図示）及び本体側光受信部（不図示）からなり、本体側送信部は、例えばレーザダイオード及びドライバＩＣによって構成され、本体側受信部は、例えばアバランシェフォトダイオード（ＡＰＤ）及び増幅素子によって構成される。
【００２１】
情報処理部６１は、メディアアクセスコントローラとも呼称されるものであり、無線ＬＡＮの通信プロトコル（ＩＥＥＥ８０２．１１規格に準拠した通信プロトコル）に基づくデジタル信号の処理を実行するものである。
【００２２】
ＡＰ制御部６２は、情報処理部６１およびＷＡＮ通信部６３と接続されており、情報処理部６１とＷＡＮ通信部６３とは、ＡＰ制御部６２を介して相互に情報のやりとりを行うように構成されている。
【００２３】
ＷＡＮ通信部６３は、広域ネットワークであるインターネット７との通信を行うものである。
【００２４】
本体側光送受信部６４は、情報処理部６１からの電気信号（デジタル信号）を光信号に変換して通信ケーブル５に出力すると共に、通信ケーブル５からの光信号を電気信号（デジタル信号）に変換して情報処理部６１に出力するものである。なお、ここでいう電気信号（デジタル信号）とは、端末機器との情報のやりとりに用いる信号である。
【００２５】
本体側装置６には、複数の本体側光送受信部６４が搭載されており、各本体側光送受信部６４は、それぞれ通信ケーブル５を介して別のアンテナ側装置４（アンテナ側光送受信部４３）と接続されている。
【００２６】
アンテナ側装置４は、信号変換部４２と、アンテナ側光送受信部４３と、アンテナ側筐体４４と、を備えている。
【００２７】
アンテナ側筐体４４は、信号変換部４２とアンテナ側光送受信部４３とを収容するものである。本実施の形態では、アンテナ側筐体４４と本体側筐体６５とは別体に構成されている。信号変換部４２は、ＣＰＵ、ソフトウェア、インターフェイス、メモリ等を適宜組み合わせて実現されている。また、アンテナ側光送受信部４３は、アンテナ側光送信部（不図示）及びアンテナ側光受信部（不図示）からなり、アンテナ側送信部は、例えばレーザダイオード及びドライバＩＣによって構成され、アンテナ側受信部は、例えばアバランシェフォトダイオード（ＡＰＤ）及び増幅素子によって構成される。
【００２８】
信号変換部４２は、アンテナ２で送受信する高周波信号とデジタル信号との変換を行うものである。信号変換部４２は、ＲＦ変換部４２１と、変復調部４２２と、ＡＤ変換部４２３と、を備えている。
【００２９】
ＲＦ変換部４２１は、変復調部４２２からの内部周波数信号（ＩＦ信号）を高周波信号（ＲＦ信号）に変換してアンテナ２側に出力すると共に、アンテナ２側からの高周波信号を内部周波数信号に変換して変復調部４２２に出力するものである。
【００３０】
変復調部４２２は、ＲＦ変換部４２１からの内部周波数信号を復調しアナログ信号に変換してＡＤ変換部４２３に出力すると共に、ＡＤ変換部４２３からのアナログ信号を変調し内部周波数信号に変換してＲＦ変換部４２１に出力するものである。
【００３１】
ＡＤ変換部４２３は、変復調部４２２からのアナログ信号をデジタル信号に変換してアンテナ側光送受信部４３に出力すると共に、アンテナ側光送受信部４３からのデジタル信号をアナログ信号に変換して変復調部４２２に出力するものである。
【００３２】
アンテナ側光送受信部４３は、信号変換部４２（ＡＤ変換部４２３）からの電気信号（デジタル信号）を光信号に変換して通信ケーブル５に出力すると共に、通信ケーブル５からの光信号を電気信号（デジタル信号）に変換して信号変換部４２（ＡＤ変換部４２３）に出力するものである。
【００３３】
このように、本実施の形態では、アンテナ側装置４と本体側装置６とを接続する通信ケーブル５を光ケーブルで構成しており、両装置４，６間で光信号により情報のやりとりを行っている。これにより、通信ケーブル５での信号劣化を抑制でき、両装置４，６間の距離をより長くすることが可能になる。なお、通信ケーブル５は、アンテナケーブル３よりも長い。
【００３４】
また、本実施の形態では、アンテナ側装置４には、外部の電源８が接続されており、当該電源８から信号変換部４２やアンテナ側光送受信部４３に電源供給を行うように構成されている。これにより、本体側装置６からアンテナ側装置４に電源を供給するように構成した場合と比較して、電源のロスを抑制し省電力化を図ることができる。また、アンテナ側装置４と本体側装置６間の距離の影響を受けずにアンテナ側装置４に電源供給することが可能になるため、両装置４，６間の距離をより長くすることが可能になる。
【００３５】
さて、本実施の形態に係る無線ＬＡＮ装置１では、アンテナ側装置４のアンテナ側筐体４４には、アンテナケーブル３を接続するための接続端子４１が備えられており、アンテナケーブル３を介してアンテナ２を接続可能に構成されている。アンテナ２は、端末装置との間で無線通信用の高周波信号を送受信するものである。
【００３６】
つまり、本実施の形態では、アンテナ２が、アンテナ側装置４と別体に構成されており、メタルケーブルであるアンテナケーブル３を介して、アンテナ２とアンテナ側装置４とが接続されている。
【００３７】
アンテナケーブル３は、その一端がアンテナ２に接続され、他端がアンテナ側装置４の接続端子４１に接続されている。接続端子４１は、信号変換部４２のＲＦ変換部４２１に接続されており、アンテナケーブル３と接続端子４１とを介して、アンテナ２とＲＦ変換部４２１間で高周波信号を送受信するように構成されている。
【００３８】
アンテナ側装置４にアンテナケーブル３を介してアンテナ２を接続する構成とすることで、アンテナ２をアンテナ側装置４から離れた位置に設置することが可能になる。よって、例えばアンテナ側装置４を屋内に設置し、アンテナ２を屋外（例えば街灯）に設置することも可能になり、アンテナ２の設置の自由度をより向上でき、無線ＬＡＮの通信範囲をより拡張することが可能になる。また、アンテナ側装置４を屋外に設置することによる故障を抑制して信頼性を向上できると共に、アンテナ側筐体４４を防水構造とする必要がなくなるためコストの削減も可能になる。
【００３９】
さらに、本実施の形態では、アンテナ側筐体４４には、複数の接続端子４１が備えられており、アンテナケーブル３を介して複数のアンテナ２を接続可能に構成されている。つまり、本実施の形態では、アンテナ側装置４は、接続するアンテナ２を増設可能に構成されている。なお、図２では、一例として接続端子４１を２つ備える場合を示しているが、接続端子４１が３つ以上備えられていてもよい。
【００４０】
従来のようにアンテナ側装置４に一体にアンテナ２が設けられている場合、無線ＬＡＮの通信範囲を拡張するためには、アンテナ側装置４を増設する必要があり、消費電力やコストが増大してしまう場合があった。
【００４１】
これに対して、本実施の形態では、アンテナ側装置４がアンテナ２を増設可能に構成されており、かつ、アンテナ２をアンテナ側装置４から離れた位置に設置可能に構成されているため、アンテナ側装置４にアンテナ２を増設するのみで容易に無線ＬＡＮの通信範囲を拡張することが可能になる。つまり、本実施の形態によれば、アンテナ側装置４の数を最小限に抑えて消費電力やコストを抑制することが可能になる。
【００４２】
図３に示すように、アンテナケーブル３の他端には、接続端子４１に接続するためのコネクタ３１が設けられており、アンテナケーブル３は、アンテナ側装置４に対して着脱可能に構成されている。アンテナ側装置４に接続するアンテナ２の数は、所望の無線ＬＡＮの通信範囲に応じて、適宜設定可能である。
【００４３】
本実施の形態では、アンテナケーブル３の一端をアンテナ２に直接接続し、アンテナ２とアンテナケーブル３とを一体構成としているが、これに限らず、例えば、アンテナケーブル３とアンテナ２とをコネクタを介して接続するように構成し、アンテナ２とアンテナケーブル３とを着脱可能に構成してもよい。
【００４４】
また、本実施の形態では、アンテナケーブル３には、アンテナケーブル３を巻き取り収納するケーブル収納機構９がさらに備えられている。
【００４５】
ケーブル収納機構９は、ボビン９１にアンテナケーブル３を巻き取るように構成されている。ボビン９１は、ばね等の付勢部材により一の回転方向（図３の例では反時計回り方向）に付勢されており、当該付勢により一の回転方向にボビンが回転することで、アンテナケーブル３を自動的に巻き取り収納するように構成されている。また、ケーブル収納機構９は、ボビン９１の付勢に対抗してアンテナケーブル３を引き出した際に、ボビン９１に係止してボビン９１の一の回転方向（アンテナケーブル３を巻き取る方向）への回転を規制する回転規制手段（不図示）と、回転規制手段のボビン９１への係止を解除してアンテナケーブル３の巻き取りを開始させる係止解除手段（不図示）と、を備えている。
【００４６】
なお、ケーブル収納機構９の具体的な構成は図示のものに限定されず、例えば、ケーブル収納機構９は、手動でアンテナケーブル３を巻き取るように構成されていてもよい。また、図３では、アンテナ２側に延びるアンテナケーブル３と、コネクタ３１側（アンテナ側装置４側）に延びるアンテナケーブル３の両方をボビン９１に巻き取るようにケーブル収納機構９を構成しているが、ケーブル収納機構９は、アンテナ２側とコネクタ３１側のいずれか一方のアンテナケーブル３のみを巻き取り収納するように構成されていてもよい。
【００４７】
また、図３では、アンテナケーブル３の途中にケーブル収納機構９が設けられている場合を示しているが、これに限らず、例えばケーブル収納機構９がアンテナ２に一体に設けられていてもよい。
【００４８】
ケーブル収納機構９を備えることにより、アンテナケーブル３の長さ（ケーブル収納機構９に収納されていない部分の長さ）を自由に調整することが可能になり、アンテナ２の設置の自由度をより向上させることが可能になる。また、ケーブル収納機構９を備えることにより、アンテナケーブル３の長さを調整して、アンテナ２の設置位置を容易に変更することが可能になる。
【００４９】
なお、図１では、全てのアンテナケーブル３にケーブル収納機構９を設ける場合を示しているが、ケーブル収納機構９が設けられていないアンテナケーブル３を含んでいてもよい。
【００５０】
本実施の形態では、ケーブル収納機構９を備えることによりアンテナケーブル３の長さを調整できるようにしたが、これに限らず、例えば図４に示すように、アンテナケーブル３の少なくとも１部が、螺旋状のカールケーブル３２から構成されていてもよい。カールケーブル３２は、カールコードとも呼称されるものであり、螺旋状に形状記憶されたケーブルである。アンテナケーブル３としてカールケーブル３２を用いることで、アンテナ２とアンテナ側装置４との距離を自由に調整することが可能になる。
【００５１】
また、アンテナケーブル２のカールケーブル３２以外の部分、すなわち螺旋状に形状記憶されていないストレートの部分をケーブル収納機構９に巻き取り収納可能とし、ケーブル収納機構９とカールケーブル３２を併用することも可能である。
【００５２】
（実施の形態の作用及び効果）
以上説明したように、本実施の形態に係る無線ＬＡＮ装置１では、アンテナ側装置４のアンテナ側筐体４４には、アンテナケーブル３を接続するための接続端子４１が備えられており、アンテナケーブル３を介してアンテナ２を接続可能に構成されている。
【００５３】
このように構成することで、アンテナ２をアンテナ側装置４から離れた位置に設置することが可能となるため、アンテナ２をアンテナ側筐体４４に一体に設けた場合と比較して、アンテナ２の設置の自由度を向上できる。また、アンテナ２の設置位置がアンテナ側装置４を設置可能な位置に制限されなくなるため、アンテナ２のみを屋外に設置すること等も可能となり、無線ＬＡＮの通信範囲をより拡張することが可能になる。
【００５４】
さらに、アンテナ２をアンテナ側装置４から離れた位置に設置可能とすることで、アンテナ側装置４の設置位置の自由度も向上し、例えばアンテナ側装置４を景観を崩さない場所に設置するといったことも可能になる。
【００５５】
また、アンテナ側筐体４４に複数の接続端子４１を備え、複数のアンテナ２を接続可能に構成することで、アンテナ側装置４を増設することなくアンテナ２の数を増やすことが可能となり、アンテナ側装置４の数を最小限として、より省電力かつ低コストに無線ＬＡＮの通信範囲を拡張することが可能となる。
【００５６】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５７】
［１］端末機器と無線通信が可能な無線ローカルエリアネットワークを構成し、前記端末機器を広域ネットワーク（７）に接続するための無線ＬＡＮ装置（１）であって、前記端末装置との間で無線通信用の高周波信号を送受信するアンテナ（２）と、前記高周波信号とデジタル信号と変換を行う信号変換部（４２）と、前記信号変換部（４２）を収容するアンテナ側筐体（４４）と、を備えたアンテナ側装置（４）と、前記無線ローカルエリアネットワークの通信プロトコルに基づく前記デジタル信号の処理を実行する情報処理部（６１）と、広域ネットワーク（７）との通信を行う広域ネットワーク通信部（６３）と、前記情報処理部（６１）と前記広域ネットワーク通信部（６３）とを収容し、前記アンテナ側筐体（４４）と別体に構成された本体側筐体（６５）と、を備えた本体側装置（６）と、前記アンテナ側装置（４）と前記本体側装置（６）とを通信可能に接続する通信ケーブル（５）と、前記アンテナ（２）と前記アンテナ側装置（４）とを接続するアンテナケーブル（３）と、を備え、前記アンテナ側装置（４）の前記アンテナ側筐体（４４）には、前記アンテナケーブル（３）を接続するための接続端子（４１）が備えられており、前記アンテナケーブル（４１）を介して前記アンテナ（２）を接続可能に構成されている、無線ＬＡＮ装置（１）。
【００５８】
［２］前記アンテナ側筐体（４４）には、複数の前記接続端子（４１）が備えられており、前記アンテナケーブル（３）を介して複数の前記アンテナ（２）を接続可能に構成されている、［１］に記載の無線ＬＡＮ装置（１）。
【００５９】
［３］前記通信ケーブル（５）は、光ケーブルからなり、前記アンテナ側装置（４）と前記本体側装置（６）は、前記デジタル信号と光信号とを変換する光送受信部（４３，６４）をそれぞれ備える、［１］または［２］に記載の無線ＬＡＮ装置（１）。
【００６０】
［４］前記アンテナケーブル（３）を巻き取り収納するケーブル収納機構（９）をさらに備えた、［１］乃至［３］の何れか１項に記載の無線ＬＡＮ装置（１）。
【００６１】
［５］前記アンテナケーブル（３）の少なくとも１部が、螺旋状のカールケーブル（３２）から構成されている、［１］乃至［４］の何れか１項に記載の無線ＬＡＮ装置（１）。
【００６２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６３】
本発明は、その趣旨を逸脱しない範囲で適宜変形して実施することが可能である。
【００６４】
例えば、上記実施の形態では言及しなかったが、アンテナ側装置４には、アンテナ側筐体４４に一体に設けられた一体型アンテナがさらに備えられていてもよい。
【００６５】
また、本体側装置６には、本体側筐体６５に一体に設けられた一体型アンテナがさらに備えられてもよい。この場合、本体側装置６に、高周波信号をデジタル信号に変換する信号変換部を搭載する必要がある。
【００６６】
さらに、上記実施の形態では、アンテナケーブル３を巻き取り収納するケーブル収納機構９を備える場合について説明したが、アンテナ側装置４と本体側装置６とを接続する通信ケーブル５を巻き取り収納する機構をさらに備えてもよい。
【符号の説明】
【００６７】
１…無線ＬＡＮ装置
２…アンテナ
３…アンテナケーブル
４…アンテナ側装置
４１…接続端子
４２…信号変換部
４３…アンテナ側光送受信部
４４…アンテナ側筐体
５…通信ケーブル
６…本体側装置
６１…情報処理部
６２…アクセスポイント制御部（ＡＰ制御部）
６３…広域ネットワーク通信部（ＷＡＮ通信部）
６４…本体側光送受信部
６５…本体側筐体
７…広域ネットワーク（インターネット）
【図１】
2017143486.tif 000003
【図２】
2017143486.tif 000004
【図３】
2017143486.tif 000005
【図４】
2017143486.tif 000006